(57)【要約】【課題】  通過する磁性体によって生じる磁場の変化を検出するとともに、外部からの磁場によって誤動作が生じることを防止した機構を具えるパチンコ玉検出センサを提供する。【解決手段】  パチンコ球の検出通路と、その検出通路を挟んで磁界発生手段とその磁界を検出するホール素子とを対向して配置してなるパチンコ球検出センサにおいて、検出通路を挟んで磁界発生手段と対向する第1のホール素子に加えて、第2のホール素子を磁界発生手段と第1のホール素子の間以外の位置に配置し、第1のホール素子の磁界検出出力と第2のホール素子の磁界検出出力の反転信号の論理積から検出信号を得る。【選択図】  図１
2007144039.tif 000002
【特許請求の範囲】
【請求項１】
パチンコ球の検出通路と、その検出通路を挟んで磁界発生手段とその磁界を検出するホール素子とを対向して配置してなるパチンコ球検出センサにおいて、
検出通路を挟んで磁界発生手段と対向する第1のホール素子に加えて、第2のホール素子を磁界発生手段と第1のホール素子の間以外の位置に配置したことを特徴とするパチンコ玉検出センサ。
【請求項２】
パチンコ球の検出通路と、その検出通路を挟んで磁界発生手段とその磁界を検出するホール素子とを対向して配置してなるパチンコ球検出センサにおいて、
検出通路を挟んで磁界発生手段と対向する第1のホール素子に加えて、第2のホール素子を磁界発生手段と第1のホール素子の間以外の位置に配置し、
第1のホール素子の磁界検出出力と第2のホール素子の磁界検出出力から検出信号を得ることを特徴とするパチンコ玉検出センサ。
【請求項３】
パチンコ球の検出通路と、その検出通路を挟んで磁界発生手段とその磁界を検出するホール素子とを対向して配置してなるパチンコ球検出センサにおいて、
検出通路を挟んで磁界発生手段と対向する第1のホール素子に加えて、第2のホール素子を磁界発生手段と第1のホール素子の間以外の位置に配置し、
第1のホール素子の磁界検出出力と第2のホール素子の磁界検出出力の反転信号の論理積から検出信号を得ることを特徴とするパチンコ玉検出センサ。
【発明の詳細な説明】
【技術分野】
【０００１】
本発明は、パチンコ玉の通過を検出するセンサの構造に関するもので、誤動作の防止機構を具えたパチイコ玉検出センサに関するものである。
【背景技術】
【０００２】
磁場の発生手段とホール素子とを対向させてその間を通過する磁性体であるパチンコ玉を検出するセンサが利用されている。磁性体である鋼球のパチンコ玉が通過することによって生じる磁場の大きさの変化を検出してこれを電気信号として出力するものである。パチンコ玉の通過を１個のホール素子で検出する構造では、パチンコ玉が通過しなくても、外部から磁場を発生する物体すなわち磁石などを用いてこの磁場をホール素子に加えれば、あたかもパチンコ玉が通過したかのように振舞ってしまい、誤動作を生じることになる。したがって不正手段を防止することも難しくなる。
【特許文献１】特開平８−１１２４０２号公報
【特許文献２】特開平９−２５１０８０号公報
【特許文献３】特開２０００−１４０２１７号公報
【発明の開示】
【発明が解決しようとする課題】
【０００３】
本発明は、通過する磁性体によって生じる磁場の変化を検出するとともに、外部からの磁場によって誤動作が生じることを防止した機構を具えるパチンコ玉検出センサを提供するものである。
【課題を解決するための手段】
【０００４】
本発明は、パチンコ玉の検出のためのセンサに加えて、磁場発生装置の戻り磁界を検出するホール素子を配置することによって、上記の課題を解決するものである。すなわち、パチンコ球の検出通路と、その検出通路を挟んで磁界発生手段とその磁界を検出するホール素子とを対向して配置してなるパチンコ球検出センサにおいて、検出通路を挟んで磁界発生手段と対向する第1のホール素子に加えて、第2のホール素子を磁界発生手段と第1のホール素子の間以外の位置に配置し、第1のホール素子の磁界検出出力と第2のホール素子の磁界検出出力から検出信号を得ることに特徴を有するものである。
【発明の効果】
【０００５】
本発明によれば、外部磁界によって第１のホール素子に加わる磁界が変化しても、第２のホール素子がパチンコ玉の通過による磁界の変化ではないことを検出し、論理回路の出力が変化することを防止できる。これによって外部磁界の変化による影響を除去することができ、不正手段による誤動作を防止することも可能となる。
【発明を実施するための最良の形態】
【０００６】
本発明によるパチンコ玉検出センサの校正要素は以下のようになる。
１．パチンコ玉の通路を挟んで対向する磁場発生装置（永久磁石や電磁石など）と第１のホール素子（ＩＣ）、
２．磁場発生装置の戻り磁界を検出するために上記の対向方向に対して略90度の方向に上記通路の対向して配置された第２のホール素子（ＩＣ）、
３．両方のゴール素子（ＩＣ）の出力の論理をとるための論理回路。
すなわち、２つのホール素子（ＩＣ）の出力を合成することによって、外部のいたずら磁界等の影響を排除する。
【実施例】
【０００７】
以下、図面を参照して、本発明の実施例について説明する。図１は本発明の実施例を示す平面図である。基板に貫通孔のパチンコ玉検出通路13が形成されており、このパチンコ玉検出通路13を挟んで磁界発生装置15と第１のホール素子17が対向配置されている。また、それらの対向方向に対してほぼ90度の方位にパチンコ玉検出通路13に対向する位置に第2のホール素子19が配置される。
【０００８】
次に、第1のホール素子17の動作について、図２と図３を用いて説明する。パチンコ玉（磁性体）がないときはホール素子17に達する磁場が少なく、ホール素子17の出力は“０”である（図２）。パチンコ玉があると、空気中の透磁率はμ0からμＦへと、コイルにコアを挿入したように、磁束がパチンコ玉内に集中するようになる。したがって、ホール素子17に達してこれを横切る磁束が大きくなってホール効果によって出力が“１”となる。
【０００９】
次に、第２のホール素子の動作について、図４と図５を用いて説明する。パチンコ玉ないときは第1のホール素子17に達する磁束が少ないかわりに戻り磁界による第2のホール素子19を横切る磁束が多くなり、ホール素子19の出力は“1”となる（図４）。それに対してパチンコ玉が存在すると、戻り磁束として横に逃げていた磁束がパチンコ玉（磁性体）に集中されて第1のホール素子17に到達する磁束が多くなる。そのため、磁石からすぐに戻っていた磁束は透磁率μＦの方に引き寄せられて、ホール素子19を横切る磁束は少なくなる。したがって、ホール素子19の出力は“０”となる。
【００１０】
第2のホール素子19の出力はインバータ回路によって反転させ、第1のホール素子17の出力との論理積をパチンコ玉の検出信号とする。すなわち、図１と図３からパチンコ玉（磁性体）の存在しないときは、第1のホール素子17の出力は“0”であり、第2のホール素子19の反転された出力も“０”となる。したがってその論理積も“０”となる。逆に図２と図４のパチンコ玉が存在する場合には、第1のホール素子17の出力は“１”となり、第2のホール素子19の反転された出力も“１”となって、それらの論理積も“１”となる。この出力信号によってパチンコ玉の存在（通過）が検出される。
【００１１】
次に、外部磁界が存在するときの動作について説明する。図6は第１のホール素子17の近くにいたずら磁石16が存在する場合を示したものである。磁石16から発生する磁束が第1のホール素子17に達するとホール素子17の出力は“１”となってパチンコ玉が存在するかのような出力となる。しかし、第2のホール素子19に達する磁束にはほとんど変化がないので第2のホール素子19の反転出力は依然として“０”のままである。したがって、それらの論理積も“０”となってパチンコ玉がない状態を示す。いたずら磁石16が第2のホール素子19に近い位置にある図７のような状態においては、ホール素子17の出力は“０”のままで変化がないので、論理積は依然として“０”のままである。
【００１２】
上記のように、第2のホール素子を用いて出力の論理積を得ることによって、実際にパチンコ玉が存在（通過）するときにのみ出力を得ることができ、外部からのいたずら磁界等による影響を除去することが可能となる。第2のホール素子の位置は上記の例に限られるものではなく、図8のように磁界発生装置と並べて配置すれば、ホール素子がそのセンサに対して直交する磁束に対してだけホール効果を発生するという性質を利用して、より精度のよい検出が可能となって誤動作の防止の効果も高まる。
【産業上の利用可能性】
【００１３】
本発明は、パチンコ玉の検出センサを主眼としているが、それに限られるものではなく、磁性体の検出装置（センサ）全般への応用が可能である。
【図面の簡単な説明】
【００１４】
【図１】本発明の実施例を示す平面図
【図２】本発明の動作を示す説明図
【図３】本発明の動作を示す説明図
【図４】本発明の動作を示す説明図
【図５】本発明の動作を示す説明図
【図６】本発明の動作を示す説明図
【図７】本発明の動作を示す説明図
【図８】本発明の他の実施例を示す平面図
【符号の説明】
【００１５】
13：パチンコ玉検出通路
15、16：磁界発生装置
17：第1のホール素子
19：第2のホール素子
【図１】
2007144039.tif 000003
【図２】
2007144039.tif 000004
【図３】
2007144039.tif 000005
【図４】
2007144039.tif 000006
【図５】
2007144039.tif 000007
【図６】
2007144039.tif 000008
【図７】
2007144039.tif 000009
【図８】
2007144039.tif 000010